(57)【特許請求の範囲】
【請求項１】
足場板の側縁部上に起立姿勢で取り付けられる幅木であって、幅木本体の外面側にワンタッチロック金具が設けられ、該ワンタッチロック金具は、幅木本体に固定される固定枠と、固定枠に下端部が枢着された操作レバーと、操作レバーの下方で固定枠に上下スライド可能に支持されて幅木本体より下方へ突出するスライド板の下部側に、足場板の側面折り曲げ部を掴むフック部を形成した掴み金具と、操作レバーを起立させた状態で掴み金具をフック部が足場板の側面折り曲げ部を掴み且つフック部の先端部が足場板の天板部下面に当接した位置にロックすると共に、操作レバーを下向きに回転させる時に掴み金具を下方へスライドさせてロック解除するように、操作レバーと掴み金具との間に介装したバネと、からなり、ロック解除位置にある掴み金具のフック部と幅木本体下面との間に足場板の側面折り曲げ部を嵌め込んで操作レバーを起立させることにより、掴み金具をロックして幅木本体を起立姿勢に固定するようにした足場板用幅木。
【請求項２】
操作レバーが起立して掴み金具がロック位置にある時に、フック部の先端部が足場板の天板部下面に当接すると共に、フック部の底部が側面折り曲げ部の下面に当接するようになっている請求項１に記載の足場板用幅木。
【請求項３】
操作レバーが起立して掴み金具がロック位置にある時に、操作レバーの上端部に形成された把手が幅木本体の外方に突出するようになっている請求項１又は２に記載の足場板用幅木。
【発明の詳細な説明】
【技術分野】
【０００１】
本発明は、建築現場等で仮設される足場板の側縁部上に起立姿勢に取り付けられる足場板用幅木に関する。
【背景技術】
【０００２】
建築現場等における足場板上での高所作業では、作業者の手にしたボルト、ナット、金具類等の種々の施工用物品や工具類、足元に置いた各種資材や用具等を誤って落下させ、事故につながるという危険性が常に付きまとう。そこで、足場板の側縁部上に幅木を取り付けるようにしている。
【０００３】
従来の足場板用幅木として、例えば、下記特許文献１に記載されたものがある。これは、幅木本体の外面側に、複数のスライドロック金具が、夫々ロックボルトの回動操作によって幅木本体に対し上下にスライドするように取り付けられ、各スライドロック金具は、幅木本体よりも下方に突出する下部に幅木本体の下面と対向するロック片を備え、このロック片と幅木本体の下面との間に足場板の側縁部を嵌め込んだ状態で、スライドロック金具が上方へスライドするようにロックボルトを締め付けることによって、幅木本体が垂直姿勢に固定されるようになっている。
【先行技術文献】
【特許文献】
【０００４】
【特許文献１】特開２００２−２２７４０２号公報
【発明の概要】
【発明が解決しようとする課題】
【０００５】
上記のような従来の足場板用幅木では、足場板への幅木本体の取付け及び取外し操作が面倒で手間がかかるという問題があった。
【０００６】
本発明は、上記の事情に鑑み、足場板への幅木本体の取付け及び取外しがワンタッチで簡単に行える足場板用幅木を提供することを目的とする。
【課題を解決するための手段】
【０００７】
上記課題を解決するための手段を、後述する実施形態の参照符号を付して説明すると、請求項１に係る発明の足場板用幅木は、足場板１の側縁部上に起立姿勢で取り付けられる幅木であって、幅木本体５の外面側にワンタッチロック金具６が設けられ、該ワンタッチロック金具６は、幅木本体５に固定される固定枠７と、固定枠７に下端部が枢着された操作レバー８と、操作レバー８の下方で固定枠に上下スライド可能に支持されて幅木本体５より下方へ突出するスライド板９ａの下部側に、足場板１の側面折り曲げ部１ｂを掴むフック部１０を形成した掴み金具９と、操作レバー８を起立させた状態で掴み金具９をフック部１０が足場板１の側面折り曲げ部１ｂを掴み且つフック部１０の先端部１０ｏが足場板１の天板部１ａ下面に当接した位置にロックすると共に操作レバー８を下向きに回転させる時に掴み金具９を下方へスライドさせてロック解除するように、操作レバー８と掴み金具との間に介装したバネ１１とからなり、ロック解除位置にある掴み金具９のフック部１０と幅木本体５の下面との間に足場板１の側面折り曲げ部１ｂを嵌め込んで操作レバー８を起立させることにより、掴み金具９をロックして幅木本体５を起立姿勢に固定するようにしたことを特徴とする。
【０００８】
請求項２は、請求項１に記載の足場板用幅木において、操作レバー８が起立して掴み金具９がロック位置にある時に、フック部１０の先端部１０ｏが足場板１の天板部１ａ下面に当接すると共に、フック部１０の底部９ｂが足場板１の側面折り曲げ部下面１ｂｏに当接するようになっていることを特徴とする。
【０００９】
請求項３は、請求項１又は２に記載の足場板用幅木において、操作レバー８が起立して掴み金具９がロック位置にある時に、操作レバー８の上端部に形成された把手８ｏが幅木本体５の外方に突出するようになっていることを特徴とする。
【発明の効果】
【００１０】
請求項１に係る発明によれば、幅木４を足場板１６の側縁部１ａ上に取り付ける時は、操作レバー８を下向きに回転させると、板バネ１１を介して掴み金具９のスライド板９ａが下方へスライドして、幅木本体５下面とフック部１０の先端部１０ｏとの間隔が広がるから、この状態で足場板１の側面折り曲げ部１ｂを嵌め込んだ後、操作レバー８を上向きに回転させて起立状態にすれば、スライド板９ａが上方へスライドして、掴み金具９のフック部１０が足場板１の側面折り曲げ部１ｂを掴んでフック部１０の先端部１０ｏが足場板１の天板部１ａの下面に当接した状態にロックされ、また幅木４を足場板１から取り外す時は、起立姿勢にある操作レバー８を下方へ回転させるだけで掴み金具９がロック解除されるから、足場板１への取付け及び足場板１からの取外しをワンタッチで簡単に行うことができる。
【００１１】
また、操作レバー８を起立させて掴み金具９をロックした状態で、掴み金具９のフック部１０が足場板１の側面折り曲げ部１ｂを掴むと共に、フック部１０の先端部１０ｏが足場板１の天板部１ａ下面に当接するようになっているから、幅木本体５に対し足場板１の内側から大きな横荷重がかかっても、フック部１０の先端部１０ｏが天板部１ａ下面に支持されることにより、側面折り曲げ部１ｂの変形が防止される。
【００１２】
請求項２に係る発明によれば、掴み金具９がロック位置にある時に、フック部１０の先端部１０ｏが足場板１の天板部１ａ下面に当接すると共に、フック部１０の底板部９ｂが足場板１の側面折り曲げ部下面１ｂｏに当接するようになっているから、フック部１０が側面折り曲げ部１ｂを的確に掴持できて、掴み金具９のフック部１０と足場板１の天板部１ａ及び側面折り曲げ部１ｂとが一体化し、幅木本体５を足場板１に対し安定良く強固に固定することができる。
【００１３】
請求項３に係る発明によれば、掴み金具９がロック位置にある時、操作レバー８の上端部に形成された把手８ｏが幅木本体５の外側に突出するようになっているから、操作レバー８の操作が容易となる。
【図面の簡単な説明】
【００１４】
【図１】本発明に係る足場板用幅木の取付状態を示す外観斜視図である。
【図２】(a) は本発明に係る足場板用幅木を外面側から見た正面図、(b) は平面図、(c) は側面図、(d) は背面図である。
【図３】(a) は同上の足場板用幅木を足場板に取り付けた状態を外面側から見た正面図、(b) は平面図である。
【図４】(a) は幅木本体に設けられたワンタッチロック金具のロック状態を示す正面図、(b) は(a) のＸーＸ線に沿って断面したワンタッチロック金具の側面図である。
【図５】(a) はロック状態から操作レバーを半分程度回転操作してロック解除操作した時のワンタッチロック金具の側面図、(b) は操作レバーを全部回転操作して、掴み金具のフック部と幅木本体の下面との間隔を拡げた状態の側面図である。
【図６】(a) 〜(d) はワンタッチロック金具によって幅木本体を足場板に取り付ける手順を示す説明図である。
【発明を実施するための形態】
【００１５】
以下に本発明の好適な一実施形態を図面に基づいて説明すると、図１及び図２に示すように、足場板１は、対向する足場用建枠２，２の横材３，３間に掛け渡され、この足場板１の側縁部上に本発明に係る足場板用幅木４が起立姿勢に取り付けられている。足場板１の両端部には夫々フックＦがその左右端側に突設されている。足場板用幅木４は、図１及び図２に示すように、内側壁５ａと、上壁部５ｂと、下壁部５ｃと、上下壁部５ｂ，５ｃから夫々内向きに突出するフランジ５ｄとにより断面略Ｃ字状に形成されると共に、両端部に断面コ字状の端枠部５ｅ（図１参照）が取り付けられてなる幅木本体５を有する。
【００１６】
尚、足場板１は、鋼製の足場板で、図１及び図６に示すように、天板部１ａの長手方向に沿った側縁部から下向き且つ内向きに一体に延びる断面略Ｌ字状の側面折り曲げ部１ｂを有する。
【００１７】
図１に示すように、幅木本体５の外面側には両端部側にワンタッチロック金具６が設けられている。各ワンタッチロック金具６は、図４及び図５に示されるように、幅木本体５に固定される固定枠７と、この固定枠７に下端部が枢着されて上下方向に回転可能な操作レバー８と、この操作レバー８の下方で固定枠７に上下スライド可能に支持されて幅木本体５より下方へ突出するスライド板部９ａの下部側に、図６に示すように足場板１の側面折り曲げ部１ｂを掴むフック部１０を形成した掴み金具９と、操作レバー８を起立させた状態で掴み金具９をフック部１０が足場板１の側面折り曲げ部１ｂを掴み且つフック部１０の先端部１０ｏが天板部１ａの下面に当接するロック位置に保持すると共に、操作レバー８を下向きに回転させる時に掴み金具９を下方へスライドさせてロック解除するように、操作レバー８と掴み金具９との間に介装した板バネ１１と、から構成される。
【００１８】
上記ワンタッチロック金具６の構造について更に説明すれば、固定枠７は、背面板７ａと、左右側板７ｂ，７ｂと、両側板７ｂ，７ｂの前端縁から対向突出する前板７ｃ，７ｃとによりチャンネル状に形成されたもので、図４に示すように、幅木本体５内に挿入して背面板７ａを幅木本体５の内側壁５ａに当接させ、リベットＲ（図２の(d) 参照）により固着することによって、幅木本体５内に固定される。
【００１９】
操作レバー８は、左右側枠８ａ，８ａの上端部前面側を連結部片８ｂにより一体に連結して、この連結部片８ｂを含むレバー８の上端部に把手８ｏを形成したもので、両側枠８ａ，８ａの下端部をピン（ボルト）１２で固定枠７の両側板７ｂ，７ｂに枢着することにより、ピン１２を中心として、図４の(a) ，(b) に示すような起立姿勢と、図６の(a) ，(b) に示すように手前側下方へ傾倒した姿勢との間で上下方向に回転可能となっている。また上端部に形成された把手８ｏは、図６の(a) 〜(d) に示すように操作レバー８が上向きに回転して起立姿勢となった状態で幅木本体５より上方に突出するようになっている。この時、操作レバー８の両側枠８ａ，８ａの背面側上端部に形成された凹部２０が幅木本体５の上部側フランジ５ｄに形成された切欠部２１に嵌まり込んで、把手８ｏが幅木本体５の上壁部５ｂに係止した状態となる（図４の(a) ，(b) 参照）。
【００２０】
また、掴み金具９は、図４の(a) ，(b) に示すように、スライド板９ａの上端部両サイドから耳片９ｏ，９ｏを内向き直角に突設すると共に、スライド板９ａの下部側に、このスライド板９ａと底板部９ｂと立上り部９ｃとからなる上向き略コ字状のフック部１０を形成してなるもので、フック部１０の先端部である立上り部９ｃの上端部は、ロック位置において足場板１の天板部１ａ下面に当接する当接片１０ｏを形成している。スライド板９ａは、上端部の耳片９ｏ，９ｏに挿通したボルト１４の両端部を、固定枠７の左右側板７ｂ，７ｂに設けた上下方向に長い長孔１３，１３に挿通させガイドさせることによって一定範囲上下スライド可能となっている。
【００２１】
板バネ１１の上端部は、操作レバー８の左右側枠８ａ，８ａの上端部間に横架されたボルト１５に止着され、その下端部は、固定枠７の左右側板７ｂ，７ｂに設けた長孔１３，１３に挿通されて上下スライドする前記ボルト１４に止着されている。尚、この実施形態では、板バネを使用しているが、線状バネを使用してもよい。
【００２２】
図４の(a) ，(b) は、湾曲状の板バネ１１により操作レバー８が起立状態に保持されて掴み金具９が足場板１の側面折り曲げ部１ｂを掴持する位置にロックされた状態を示す。このロック状態から、図５の(a) に示すように操作レバー８をその把手８ｏを掴んで手前側へ回転させるとことによりロック状態が解除され、操作レバー８と連動する板バネ１１により前記ボルト１４が下向きに押されて掴み金具９のスライド板９ａが下方へスライドし、この操作レバー８を更に下向きに回転させることにより、図５の(b) に示すようにスライド板９ａがスライド範囲の下限位置までスライドして、幅木本体５の下面とフック部１０の先端部（当接片）１０ｏとの間隔が最大に広がり、足場板１の側縁部１ｂに対する嵌め込みが可能な状態となる。尚、図４及び図５に示すように、幅木本体５の下部側フランジ５ｃの下面には凸条部５ｏが突設されているが、この凸条部５ｏは、足場板１への取付時に足場板１の天板部１ａ上面に形成された凹条部１ｏに係合されるようになっている（図６参照）。
【００２３】
図６の(a) 〜(d) は上述したワンタッチロック金具６によって幅木本体５を足場板１に取り付ける手順を示すもので、先ず、(a) に示すように、ワンタッチロック金具６の操作レバー８を、その上端部の把手８ｏを掴んで下向きに回転させることにより、板バネ１１を介し掴み金具９のスライド板９ａをスライド範囲の下限位置までスライドさせて、幅木本体５の下面とフック部１０の先端部１０ｏとの間隔を最大に広げた状態から、この間隔部分に足場板１の側面折り曲げ部１ｂを嵌め込んで、(b) に示すような状態とする。
【００２４】
上記のようにして幅木本体５の下面と掴み金具９下部側のフック部１０との間に足場板１の側面折り曲げ部１ｂを嵌め込んだ状態とした後、図６の(c) に示すように操作レバー８を上向きに回転させることにより、板バネ１１を介して掴み金具９のスライド板９ａを上方へスライドさせて、足場板１の側面折り曲げ部１ｂをフック部１０で掴み、そして更に操作レバー８を回転させて起立状態にすると、(d) に示すようにスライド板９ａが板バネ１１を介しスライド範囲の上限位置までスライドして、フック部１０が足場板１の側面折り曲げ部１ｂを掴んでフック部１０の底板部９ｂが側面折り曲げ部１ｂの下面１ｂｏに当接すると共に、フック部１０の先端部である、フック部１０の上端部１０ｏが足場板１の天板部１ａ下面に当接した状態にロックされる。
【００２５】
このように操作レバー８を起立状態にすることによって、掴み金具９のフック部１０が足場板１の側面折り曲げ部１ｂを掴んだ位置にロックされるが、この場合、仮にフック部１０の上端部１０ｏが足場板１の天板部１ａ下面に当接せず、そのフック部１０が足場板１の側面折り曲げ部１ｂを掴んだだけの状態でロックされるものとすれば、幅木本体５に足場板１の内側から大きな横荷重がかかった時に、側面折り曲げ部１ｂには掴み金具９のスライド板９ａにより大きな曲げモーメントが作用して変形するおそれがある。しかし、このワンタッチロック金具６にあっては、フック部１０が足場板１の側面折り曲げ部１ｂを掴むと同時に、フック部１０の先端部１０ｏが足場板１の天板部１ａ下面で支持されるため、側面折り曲げ部１ｂが大きな曲げを受けず、その変形が防止される。
【００２６】
また、この場合、掴み金具９のフック部１０が足場板１の側面折り曲げ部１ｂを掴んでフック部１０の底板部９ｂが側面折り曲げ部１ｂの下面１ｂｏに当接すると共に、フック部１０の先端部１０ｏが足場板１の天板部１ａの下面に当接するようになっているから、フック部１０が側面折り曲げ部１ｂを的確に掴持することができて、フック部１０と足場板１の天板部１ａ及び側面折り曲げ部１ｂとが一体化し、幅木本体５を足場板１に対し安定良く強固に固定することができる。
【００２７】
尚、上記のようにフック部１０の底板部９ｂが側面折り曲げ部１ｂの下面１ｂｏに当接すると共にフック部１０の先端部１０ｏが足場板１の天板部１ａの下面に当接するように構成するのが好ましいが、この掴み金具９で最も重要なことは、フック部１０が足場板１の側面折り曲げ部１ｂを掴んだ状態でフック部１０の先端部１０ｏが足場板１の天板部１ａの下面に当接することであるから、フック部１０の底板部９ｂが、側面折り曲げ部１ｂの下面１ｂｏに当接せず、その下面１ｂｏからある程度離間していてもよい。
【００２８】
幅木本体５を足場板１から取り外すには、図６の(a) 〜(d) によって説明した取付手順を逆に行えばよい。即ち、(d) に示すように起立姿勢にある操作レバー８を、把手８ｏを掴んで(c) に示すように下方へ回転させると、操作レバー８と連動する板バネ１１によりスライド板９ａが下方へスライドし、この操作レバー８を更に下向きに回転させることにより、(b) に示すようにスライド板９ａがスライド範囲の下限位置までスライドして、幅木本体５の下面とフック部１０の先端部１０ｏとの間隔が最大に広がるから、この状態で掴み金具９を足場板１の側面折り曲げ部１ｂから抜き取って、幅木本体５を足場板１から取り外すことができる。
【００２９】
以上説明したように、この足場板用幅木４は、幅木本体５の外面側に複数のワンタッチロック金具６を設けたもので、幅木４を足場板１６の側縁部１ａ上に取り付ける時には、操作レバー８を下向きに回転させることにより、板バネ１１を介して掴み金具９のスライド板９ａをスライド範囲の下限位置までスライドさせて、幅木本体５下面とフック部１０の先端部１０ｏとの間隔を最大に広げた状態から、足場板１の側面折り曲げ部１ｂを嵌め込んだ後、操作レバー８を上向きに回転させて起立状態にすれば、スライド板９ａが上限位置までスライドして、掴み金具９のフック部１０が足場板１の側面折り曲げ部１ｂを掴み、フック部１０の先端部１０ｏが足場板１の天板部１ａ下面に当接した状態にロックされ、また幅木４を足場板１から取り外す時は、起立姿勢にある操作レバー８を下方へ回転させるだけで掴み金具９がロック解除されるから、足場板１への取付け及び足場板１からの取外しをワンタッチで簡単に行うことができる。
【００３０】
また、この足場板用幅木４のワンタッチロック金具６では、操作レバー８が起立して掴み金具９がロック位置にある時、操作レバー８の上端部に形成された把手８ｏが幅木本体５の上方に突出するようになっているから、操作レバー８の操作が容易となる。尚、この実施形態では、操作レバー８の把手８ｏが幅木本体５の上端から上方に突出するようになっているが、操作レバー８の把手８ｏが幅木本体５の外面側から外側方へ突出するようになっていてもよい。何れにしても、操作レバー８の把手８ｏは、操作レバー８が起立姿勢にある時に、幅木本体５の内部に収納されず、幅木本体５の外側に突出する必要があり、そうすることによって操作レバー８の操作が容易となる。
【００３１】
また、図６に示すように、幅木本体５が足場板１の天板部１ａの側縁部上に載置される時ちは、幅木本体５の下部側フランジ５ｃ下面に突設された凸条部５ｏが、足場板１の天板部１ａ上面に形成された凹条部１ｏに係合するため、幅木本体５は天板部１ａ上で位置ズレすることがなく、定位置に保持される。
【００３２】
なお、前記実施形態では、ワンタッチロック金具６を幅木４の長手方向の２カ所に設けるようになっているが、幅木４の全長が短い場合、あるいは、幅木４を足場板１の妻側に設ける場合には、幅木の全長は、例えば５０ｃｍ程度であり、このように幅木全長の短い場合には幅木長手方向中央部にワンタッチロック金具６を単体設けるだけで足る場合がある。
【符号の説明】
【００３３】
１            足場板
１ａ          足場板の天板部
１ｂ          足場板の側面折り曲げ部
２            足場建枠
３            足場建枠の横材
４            足場板用幅木
５            幅木本体
６            ワンタッチロック金具
７            固定枠
８            操作レバー
８ｏ          操作レバーの把手
９            掴み金具
１０          フック部
１１          板バネ
【図１】
0005491088.tif 000002
【図２】
0005491088.tif 000003
【図３】
0005491088.tif 000004
【図４】
0005491088.tif 000005
【図５】
0005491088.tif 000006
【図６】
0005491088.tif 000007